(57)【特許請求の範囲】
【請求項１】
容器本体２の嵌合凹部ａに中枠部材Ａを嵌着固定してなる化粧用コンパクト容器であって、中枠部材Ａは、容器本体２の嵌合凹部ａ内周面に嵌合させた周壁３の相対向する部分に一対の窓孔４を穿設するとともに、各窓孔４の一側面に各々端面を一体に連結した弾性壁５を、内外方向の弾性揺動が可能に各窓孔４間に掛け渡してドラム嵌合部６を画成し、弾性壁５の長手方向中央下面より延設した水平基板９を、嵌合凹部ａ底面に凹設した凹部10内に、ドラム嵌合部６内より外方へのスライドが可能に収納嵌合させるとともに、弾性壁５外面より指掛け突片11を突設して水平基板９の引き出しを可能に構成し、水平基板９上面に突設した突起12を、ドラム嵌合部６内のドラム13下面に凹設した係合凹部14内に、水平基板９の外方へのスライドによる抜け出しが可能に嵌合させてなることを特徴とする化粧用コンパクト容器。
【発明の詳細な説明】
【０００１】
【発明の属する技術分野】
本発明は化粧用コンパクト容器に関する。
【０００２】
【従来の技術】
化粧用コンパクト容器として、例えば、上面に化粧品を収納する化粧品収納凹部を備えた皿状の容器本体と、該本体後部に後部を回動可能に連結して本体上面を開閉可能に設けた蓋体とを、各前部で係脱可能に構成してなるもの一般に知られている。これらの化粧用コンパクト容器における化粧品収納凹部内には化粧品を充填したドラムを嵌合させており、これらドラムは化粧品を使い切った後の交換、或いは化粧品の使用途中でも他の化粧品が充填されたドラムとの交換が可能な如く構成している。そのために、従来は容器本体の底壁に透孔を穿設し、ドラム取り外しの際に、底から棒を押し込んでドラムを外す如く構成している。
【０００３】
【発明が解決しようとする課題】
従来の容器では、ドラムを交換する際に棒を必要とするため、携帯時等にそれを忘れたり、或いは紛失したりする等の不都合を生じ易く、また、外観的にも容器本体の底壁に孔があいているため、商品価値を低下させる虞もある。
本発明は上記した点に鑑み、ドラムの着脱が特別の道具を必要とせずに簡単に行えるとともに、簡単な構造で容易に製造できる優れた化粧用コンパクト容器を提案するものである。
【０００４】
【課題を解決するための手段】
本請求項１発明の容器は上記課題を解決するため、容器本体２の嵌合凹部ａに中枠部材Ａを嵌着固定してなる化粧用コンパクト容器であって、中枠部材Ａは、容器本体２の嵌合凹部ａ内周面に嵌合させた周壁３の相対向する部分に一対の窓孔４を穿設するとともに、各窓孔４の一側面に各々端面を一体に連結した弾性壁５を、内外方向の弾性揺動が可能に各窓孔４間に掛け渡してドラム嵌合部６を画成し、弾性壁５の長手方向中央下面より延設した水平基板９を、嵌合凹部ａ底面に凹設した凹部10内に、ドラム嵌合部６内より外方へのスライドが可能に収納嵌合させるとともに、弾性壁５外面より指掛け突片11を突設して水平基板９の引き出しを可能に構成し、水平基板９上面に突設した突起12を、ドラム嵌合部６内のドラム13下面に凹設した係合凹部14内に、水平基板９の外方へのスライドによる抜け出しが可能に嵌合させてなることを特徴とする化粧用コンパクト容器として構成した。
【０００５】
【発明の実施の形態】
以下、本発明の実施例の形態を図面を参照して説明する。
本発明の化粧用コンパクト容器１は、容器本体２と中枠部材Ａとを備えている。
容器本体２は、上面に中枠部材Ａを嵌合させるための嵌合凹部ａを凹設している。図示例では、平面視横長矩形状をなし、その上面に平面視横長矩形状の嵌合凹部ａを形成している。
中枠部材Ａは、合成樹脂により一体に形成されたもので、上記嵌合凹部ａ内周面に嵌合させた周壁３の相対向する部分に一対の窓孔４を穿設するとともに、各窓孔の一側面に両端面を各々一体に連結した弾性壁５を、内外方向の弾性揺動が可能に各窓孔間に掛け渡してドラム嵌合部６を画成している。
【０００６】
図示例では、平面視が横長矩形状の嵌合凹部ａ内に嵌合させた周壁３後部の左右中央下部及び前部の左右中央下部にそれぞれ横長矩形状の窓孔４を穿設している。弾性壁５は、その端面を後部の窓孔４の左側面に一体に連結するととも、窓孔４内の左側面から周壁３と平行に延び、平面視円弧状の湾曲壁部を介して嵌合凹部ａ中央を縦断し、同様の湾曲壁部を介して同様に周壁３前部の窓孔４の左側面に他端面を一体に連結している。そして、弾性壁５の左側の周壁と弾性壁とで囲まれた部分をドラム嵌合部６として構成し、また、その右方をパフ収納部７として構成している。また、本実施例では、ドラム嵌合部６とパフ収納部７との間に、各窓孔４上方の周壁３内面から弾性壁５の略上方をそれぞれ内方へ、中央部に間隔をあけて前後一対の仕切壁８を突設している。尚、右側部分をパフ収納部とせずに、単に後述指掛け突片の引き出し空間として構成しても良い。
【０００７】
また、中枠部材Ａは、弾性壁５の長手方向中央下面より延設した水平基板９を、嵌合凹部ａ底面に凹設した凹部10内に、ドラム嵌合部内より外方への移動が可能に収納嵌合させるとともに、弾性壁中央外面より指掛け突片11を突設して水平基板９のドラム嵌合部６外方へのスライドを可能に構成している。指掛け突片11は、弾性壁５をドラム嵌合部外方へ弾性変形させて水平基板９を外方へスライドさせるためのもので、従って、弾性壁５の長手方向中央部より突設させることが好ましく、図示例では、弾性壁５前後方向中央部の右側面上部より右方へ延びた後上方へ延びる断面Ｌ字板状に形成している。
【０００８】
中枠部材Ａは、更に、基板９上面に突設した突起12を、ドラム嵌合部６内のドラム13下面に凹設した係合凹部14内に、基板９の外方へのスライドによる抜け出しが可能に嵌合させている。
突起12は、基板９のドラム嵌合部外方へのスライドにより係合凹部14より容易に抜け出してドラム13の底面を押し上げるもので、例えば図示例の如く、スライド方向の側面を外方へ下る傾斜面に形成したものを採用でき、その他にも半球状のもの等種々の形態が採用できる。また、係合凹部14も突起12に対応して、それが抜け出し易い形状であれば種々採用でき、例えば、図示例の如く平面視矩形状をなす箱型のものを採用でき、また、半球状のもの等を採用できる。
【０００９】
ドラム13は、内部に化粧品を収納する皿状をなし、収納化粧品が無くなった場合、或いは、他の化粧品を使用したい場合に交換するもので、ドラム嵌合部６内にガタ付きのないように比較的密に嵌合させている。但し、本発明の場合には、弾性壁５側の嵌合部分にはドラム13が斜めに持ち上げられることを考慮して若干のクリアランスを設けると良い。
【００１０】
図示例では、四隅外面を円弧状に面取りした矩形状をなし、周壁の外周には係合用の凹溝15を周設して、ドラム嵌合部６を構成する周壁３の内周面の一部及び弾性壁５の内側面前後方向中央部に突設した係合突条16をそれぞれ係合させる如く構成している。
尚、容器本体２の後部に後部を回動可能に連結してその上面を開閉可能に蓋体17を設けている。
【００１１】
上記の如く構成した容器１を使用する場合には、図１の状態からドラム13をドラム嵌合部６上方より押し込んで嵌合させる。また、ドラム13内の化粧品を使い切った際、或いは、他の化粧品を収納したドラム13を使用したい場合には、指掛け突片11を外方へ引くことにより、基板９が外方へスライドし、それに伴って突起12が係合凹部14から外れてドラム13下面を押し上げ、容易にドラム13を外すことができる。基板９を外方へスライドさせた状態の弾性壁５はその弾性復元力により元の状態に戻る。次いで、次のドラムを同様に嵌合させて使用する。
尚、上記各部材は全て合成樹脂により形成することができる。
【００１２】
【発明の効果】
以上説明した如く、本発明容器は、既述構成としたことにより、指掛け突片を外方へ引き出すという簡単な操作によりドラムをドラム嵌合部より簡単に取り外すことができるとともに、嵌合させる際にはドラム嵌合部上方より押圧嵌合させるだけで装着することができ、ドラムの交換をきわめて容易に行え、しかも、容器本体底壁に透孔等を穿設することなく外観良好な容器を得られ、更に、ドラムを取り外す棒等を必要としないため、それらの紛失或いは忘れ等の不都合を生じることもない。
【００１３】
また、中枠部材を容器本体の嵌合凹部に嵌合させるという極めて簡単な操作でドラム嵌合部を形成できるとともに、必要に応じてそのとなりにパフ収納部を同時に形成できる便利もある。
【図面の簡単な説明】
【図１】本発明の一実施例を示すドラムを取り外した状態の斜視図である。
【図２】同実施例の基板部分の要部縦断面図である。
【図３】同実施例の窓孔近傍の要部縦断面図である。
【図４】同実施例の窓孔形成部分の要部斜視図である。
【図５】同実施例の窓孔形成部分の要部平面図である。
【図６】同実施例の斜視図である。
【符号の説明】
２…容器本体，３…周壁，４…窓孔，５…弾性壁，６…ドラム嵌合部，
９…水平基板，10…凹部，11…指掛け突片，12…突起，13…ドラム，
14…係合凹部，Ａ…中枠部材，ａ…嵌合凹部
【図１】
0003856951.tif 000002
【図２】
0003856951.tif 000003
【図３】
0003856951.tif 000004
【図４】
0003856951.tif 000005
【図５】
0003856951.tif 000006
【図６】
0003856951.tif 000007